Podtech/llm-jp-corpus-v4-ja_patent huggingface dataset:
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
（−）−ハロフェナート、（−）−ハロフェン酸またはそれらの医薬的に許容される塩であって、それらの対応する（＋）−エナンチオマーを実質的に含まない化合物、およびコルヒチンを含む、経口医薬組成物。
【請求項２】
前記化合物が、（−）−ハロフェナートである、請求項１に記載の医薬組成物。
【請求項３】
前記化合物が、（−）−ハロフェン酸またはその医薬的に許容される塩である、請求項１に記載の医薬組成物。
【請求項４】
前記化合物およびコルヒチンの量が、１日１回の投薬に有効である、請求項１〜３のいずれか１項に記載の医薬組成物。
【請求項５】
前記化合物を１００ｍｇ〜１０００ｍｇ含む、請求項１〜４のいずれか１項に記載の医薬組成物。
【請求項６】
前記化合物を２００ｍｇ〜８００ｍｇ含む、請求項５に記載の医薬組成物。
【請求項７】
コルヒチンを０．１ｍｇ〜２．０ｍｇ含む、請求項１〜６のいずれか１項に記載の医薬組成物。
【請求項８】
コルヒチンを０．３ｍｇ〜１．２ｍｇ含む、請求項７に記載の医薬組成物。
【請求項９】
６００ｍｇの（−）−ハロフェナートおよび０．６ｍｇのコルヒチンを含む、請求項１に記載の医薬組成物。
【請求項１０】
対象が受ける痛風発赤を治療するための、請求項１〜９のいずれか１項に記載の医薬組成物。
【請求項１１】
対象が受ける痛風発赤の回数、頻度、期間、または強さを減少させるための、請求項１〜９のいずれか１項に記載の医薬組成物。
【請求項１２】
痛風に罹っている対象の高尿酸血症を治療するための、請求項１〜９のいずれか１項に記載の医薬組成物。
【請求項１３】
（−）−ハロフェナート、（−）−ハロフェン酸またはそれらの医薬的に許容される塩であって、それらの対応する（＋）−エナンチオマーを実質的に含まない化合物、およびコルヒチンの使用であって、対象が受ける痛風発赤を治療し、対象が受ける痛風発赤の回数、頻度、期間、または強さを減少させ、あるいは痛風に罹っている対象の高尿酸血症を治療するための経口医薬組成物の製造方法における使用。
【請求項１４】
対象が受ける痛風発赤の治療方法において使用するための、請求項１３に記載の使用。
【請求項１５】
対象が受ける痛風発赤の回数、頻度、期間、または強さを減少させる方法において使用するための、請求項１３に記載の使用。
【請求項１６】
対象が受ける痛風発赤の治療方法において使用するための、請求項１３に記載の使用。
【請求項１７】
前記化合物が、（−）−ハロフェナートである、請求項１３〜１６のいずれか１項に記載の使用。
【請求項１８】
前記化合物が、（−）−ハロフェン酸またはその医薬的に許容される塩である、請求項１３〜１６のいずれか１項に記載の使用。
【請求項１９】
前記化合物およびコルヒチンの量が、１日１回の投薬に有効である、請求項１３〜１８のいずれか１項に記載の使用。
【請求項２０】
前記化合物が、１日あたり１００ｍｇ〜１０００ｍｇで投与されるものである、請求項１３〜１９のいずれか１項に記載の使用。
【請求項２１】
前記化合物が、１日あたり２００ｍｇ〜８００ｍｇで投与されるものである、請求項２０に記載の使用。
【請求項２２】
コルヒチンが、１日あたり０．１ｍｇ〜２．０ｍｇで投与されるものである、請求項１３〜２１のいずれか１項に記載の使用。
【請求項２３】
コルヒチンが、１日あたり０．３ｍｇ〜１．２ｍｇで投与されるものである、請求項２２に記載の使用。
【請求項２４】
前記化合物が（−）−ハロフェナートであり、６００ｍｇで投与され、コルヒチンが１日あたり０．６ｍｇで投与されるものである、請求項１３〜１６のいずれか１項に記載の使用。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2015512943.tif 000001
［式中、
Ｒ１は、水素、Ｃ１−６アルキル、１つのアミノ酸、互いに結合している２つのアミノ酸、及び互いに結合している３つのアミノ酸からなる群より選ばれ、
【化２】
2015512943.tif 000002
Ｒ３、Ｒ４、Ｒ５、Ｒ９、及びＲ１４は、水素、ハロゲン、Ｃ１−６アルキル、Ｃ１−６アルコキシ、−Ｃ（＝Ｏ）ＮＨ２、−ＮＯ２、−ＮＨ２、−ＯＨ、−ＮＨ（Ｒ１５）、−Ｎ（Ｒ１５）２、及び−ＳＲ１５からなる群よりそれぞれ独立して選ばれ、
Ｒ１０、Ｒ１１、Ｒ１２、及びＲ１３は、水素、ハロゲン、Ｃ１−６アルキル、Ｃ１−６アルコキシ、−Ｃ（＝Ｏ）ＮＨ２、−ＮＯ２、−ＮＨ２、−ＯＨ、−ＮＨ（Ｒ１５）、−Ｎ（Ｒ１５）２、及び−ＳＲ１５からなる群よりそれぞれ独立して選ばれ、
Ｒ６は、Ｃ１−６ジアルキルアミンであり、
Ｒ７は、水素及びＣ１−６アルキルからなる群より選ばれ、
Ｒ８及びＲ１５は、それぞれ独立してＣ１−６アルキルであり、
各Ｒ１６は、独立して水素、−ＯＨ、又はＣ１−６アルコキシであり、
ｎは、０〜４の整数であり、
ｐは、１又は３であり、
破線は、Ｒ３、Ｒ４、Ｒ５、Ｒ９、及びＲ１４の少なくとも１つが−ＮＨ（Ｒ１５）、−Ｎ（Ｒ１５）２、及び−ＳＲ１５からなる群より選ばれるという条件で、シス及びトランスからなる群より選ばれる配置を有する任意の二重結合を表す。］、
又はその薬学的に許容される塩である化合物。
【請求項２】
前記式（Ｉ）の化合物は、式（Ｉａ）：
【化３】
2015512943.tif 000003
の構造、又はその薬学的に許容される塩を有する、
ことを特徴とする請求項１に記載の化合物。
【請求項３】
前記式（Ｉ）の化合物は、式（Ｉｂ）：
【化４】
2015512943.tif 000004
の構造、又はその薬学的に許容される塩を有する、
ことを特徴とする請求項１に記載の化合物。
【請求項４】
前記Ｒ１は、Ｌｅｕ、Ｌｅｕ−Ａｓｐ、Ｌｅｕ−Ａｓｐ−Ａｌａ、−ＣＨ２−Ｃ（＝Ｏ）−ＮＨＣＨ２ＣＯＯＨ、−ＣＨ２−Ｃ（＝Ｏ）−（ＣＨ２）Ｃ（ＣＨ３）２、
【化５】
2015512943.tif 000005
からなる群より選ばれる、
ことを特徴とする請求項１〜３のいずれか１項に記載の化合物。
【請求項５】
前記Ｒ３は、−ＮＨ（Ｒ１５）、−Ｎ（Ｒ１５）２、及び−ＳＲ１５から選ばれる、
ことを特徴とする請求項１〜３のいずれか１項に記載の化合物。
【請求項６】
前記Ｒ３は−Ｎ（ＣＨ３）２である、
ことを特徴とする請求項１〜３のいずれか１項に記載の化合物。
【請求項７】
前記Ｒ３は−ＳＣＨ３である、
ことを特徴とする請求項１〜３のいずれか１項に記載の化合物。
【請求項８】
式：
【化６】
2015512943.tif 000006
又はその薬学的に許容される塩を有する、
ことを特徴とする請求項１に記載の化合物。
【請求項９】
式：
【化７】
2015512943.tif 000007
又はその薬学的に許容される塩を有する、
ことを特徴とする請求項１に記載の化合物。
【請求項１０】
下記の化学式：
【化８】
2015512943.tif 000008
並びにそれらの薬学的に許容される塩からなる群より選ばれる、
ことを特徴とする請求項１に記載の化合物。
【請求項１１】
請求項１〜１０のいずれか１項に記載の化合物、及び薬学的に許容される担体を含む、ことを特徴とする医薬組成物。
【請求項１２】
前立腺がん、乳がん、膵臓がん、ユーイング肉腫、黒色腫、及び急性骨髄性白血病からなる群から選択される癌の治療薬の調製のための、請求項１〜１０のいずれか１項に記載の化合物の使用。
【請求項１３】
前記癌は哺乳動物の癌である、
ことを特徴とする請求項１２に記載の化合物の使用。
【請求項１４】
前記癌はヒトの癌である
ことを特徴とする請求項１２に記載の化合物の使用。
【請求項１５】
前記癌は、膵臓がん及びユーイング肉腫からなる群より選ばれる、
ことを特徴とする請求項１２に記載の化合物の使用。
【請求項１６】
前記癌は、ＥＷＳ遺伝子に転座を含む
ことを特徴とする請求項１２に記載の化合物の使用。
【請求項１７】
インビトロで腫瘍細胞を殺傷する、又は腫瘍細胞の増殖を阻害する方法であって、
細胞を有効量の請求項１〜１０のいずれか１項に記載の化合物と接触させることを含む、
ことを特徴とする方法。
【請求項１８】
前記細胞は哺乳動物の細胞である、
ことを特徴とする請求項１７に記載の方法。
【請求項１９】
前記腫瘍細胞は、前立腺がん細胞、乳がん細胞、膵臓がん細胞、ユーイング肉腫細胞、黒色腫細胞、及び急性骨髄性白血病細胞からなる群より選ばれる、
ことを特徴とする請求項１７に記載の方法。
【請求項２０】
前記腫瘍細胞は、膵臓がん細胞及びユーイング肉腫細胞からなる群から選択される、
ことを特徴とする請求項１９に記載の方法。
【請求項２１】
前記腫瘍細胞は、ＥＷＳ遺伝子に転座を含む、
ことを特徴とする請求項１７に記載の方法。
【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
接着剤組成物であって、
ａ）少なくとも１つのアクリル官能性モノマーと、
ｂ）第１の強靱化剤と、
ｃ）第２の強靱化剤と、
ｄ）接着促進剤と、
ｅ）高アスペクト比繊維状フィラー及びハロイサイト粘土フィラーのうちの少なくとも１つから選択される高アスペクト比フィラーとを含む、接着剤組成物。
【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
一般式Ｉ
【化１】
2015512909.tif 000001
［式中、
Ｒ1およびＲ2は、互いに独立して、水素、Ｃ1〜Ｃ6アルキル、Ｃ1〜Ｃ4アルコキシ−Ｃ1〜Ｃ4アルキル、Ｃ5〜Ｃ6シクロアルキル、フェニルまたはフェニル−Ｃ1〜Ｃ4−アルキルであり；
Ｒ3は、水素、Ｃ1〜Ｃ6アルキル、Ｃ1〜Ｃ4アルコキシ−Ｃ1〜Ｃ4アルキル、Ｃ5〜Ｃ6シクロアルキル、フェニルまたはフェニル−Ｃ1〜Ｃ4アルキルであり；
Ｒ4は、水素、Ｃ1〜Ｃ4アルキル、ＣＨ2ＣＯＯＲ8、フェニルまたはフェニル−Ｃ1〜Ｃ4アルキルであり；
Ｒ5およびＲ6は、互いに独立して、水素もしくはＣ1〜Ｃ4アルキルであるか、またはＲ5もしくはＲ6の基の１つが、ＣＯＯＲ8もしくはＣＨ2ＣＯＯＲ8であってもよく；
Ａは、化学結合またはＣ1〜Ｃ4アルカンジイルであり；
Ｘは、ＯまたはＮＲ7であり；
Ｚは、化学結合、ＰＯ2、ＳＯ2、またはＣ＝Ｏであり；
Ｙは、化学結合、ＣＨ2またはＣＨＣＨ3であり、
Ｒ7は、存在する場合、Ｃ1〜Ｃ6アルキルであり；
Ｒ8は、存在する場合、水素またはＣ1〜Ｃ6アルキルである］
の化合物。
【請求項２】
Ｒ1およびＲ2が、それぞれ水素またはＣ1〜Ｃ6アルキル、特にメチルである一般式Ｉの化合物。
【請求項３】
Ｒ3が水素である、請求項１または２に記載の化合物。
【請求項４】
Ａがエタンジイルである、請求項１から３までのいずれか１項に記載の化合物。
【請求項５】
ＸがＯである、請求項１から４までのいずれか１項に記載の化合物。
【請求項６】
ＺがＣ＝Ｏである、請求項１から５までのいずれか１項に記載の化合物。
【請求項７】
Ｙが化学結合である、請求項１から６までのいずれか１項に記載の化合物。
【請求項８】
一般式Ｉの化合物の製造方法において、一般式ＩＩ
【化２】
2015512909.tif 000002
の化合物と、一般式ＩＩＩ
【化３】
2015512909.tif 000003
の化合物
［前記式中、
Ｌは、求核置換脱離基であり；
Ｌ’は、水素またはＣ1〜Ｃ4アルキルカルボニル基であり、
ならびにＡ、Ｘ、Ｙ、Ｚ、Ｒ1、Ｒ2、Ｒ3、Ｒ4、Ｒ5およびＲ6は、請求項１から７までのいずれか１項に記載の意味を有する］
とを反応させる前記方法。
【請求項９】
ＬがＯＨまたはＣ1〜Ｃ8アルコキシであり、ＺがＣ＝Ｏであり、ＸがＯであり、かつ前記反応がエステル化またはエステル交換の条件下に実施される、請求項８に記載の方法。
【請求項１０】
炭素原子から形成されるポリマー主鎖を有しており、該主鎖に一般式Ｉ’
【化４】
2015512909.tif 000004
［式中、♯はポリマー主鎖の結合であり、Ｒ1、Ｒ2、Ｒ3、Ａ、Ｘ、ＺおよびＹは、請求項１から９までのいずれか１項に記載の意味を有する］の官能基が結合している前記ポリマー。
【請求項１１】
重合されるエチレン性不飽和化合物Ｍから形成されるポリマーにおいて、該化合物Ｍが、の少なくとも１つの一般式Ｉの化合物を、前記ポリマーを形成するエチレン性不飽和化合物の総量に対して少なくとも１質量％含む、前記ポリマー。
【請求項１２】
一般式Ｉの化合物のホモポリマーの形態の、請求項１０または１１に記載のポリマー。
【請求項１３】
少なくとも１つの一般式Ｉの化合物１〜９９質量％と、少なくとも１つのモノエチレン性不飽和コモノマーおよび／または共役ジエチレン性不飽和コモノマーｂ  １〜９９質量％とを重合導入して含む、請求項１０または１１に記載のポリマー。
【請求項１４】
前記コモノマーｂが、
・モノエチレン性不飽和Ｃ3〜Ｃ8モノカルボン酸およびモノエチレン性不飽和Ｃ4〜Ｃ8ジカルボン酸、
・モノエチレン性不飽和Ｃ3〜Ｃ8モノカルボン酸またはモノエチレン性不飽和Ｃ4〜Ｃ8ジカルボン酸のアミド
・モノエチレン性不飽和Ｃ4〜Ｃ8ジカルボン酸の無水物、
・モノエチレン性不飽和Ｃ3〜Ｃ8モノカルボン酸またはモノエチレン性不飽和Ｃ4〜Ｃ8ジカルボン酸のヒドロキシ−Ｃ2〜Ｃ4アルキルエステル
・モノエチレン性不飽和スルホン酸およびその塩、
・３〜５個の炭素原子を有するモノエチレン性不飽和ニトリル、
・Ｎ−ビニル複素環式化合物
・少なくとも１つのポリ−Ｃ2〜Ｃ4アルキレンオキシド基を有するモノエチレン性不飽和化合物、
・ビニル芳香族炭化水素、
・Ｃ1〜Ｃ20アルカノール、Ｃ5〜Ｃ8シクロアルカノール、フェニル−Ｃ1〜Ｃ4アルカノールまたはフェノキシ−Ｃ1〜Ｃ4アルカノールを有するモノエチレン性不飽和Ｃ3〜Ｃ8モノカルボン酸のエステル、
・Ｃ1〜Ｃ20アルカノール、Ｃ5〜Ｃ8シクロアルカノール、フェニル−Ｃ1〜Ｃ4アルカノールまたはフェノキシ−Ｃ1〜Ｃ4アルカノールを有するモノエチレン性不飽和Ｃ4〜Ｃ8ジカルボン酸のジエステル、
・モノエチレン性不飽和Ｃ3〜Ｃ8モノカルボン酸のＣ1〜Ｃ20アルキルアミドおよびジ−Ｃ1〜Ｃ20アルキルアミド、
・１〜２０個の炭素原子を有する脂肪族カルボン酸のビニルエステル、
・共役ジエチレン性不飽和Ｃ4〜Ｃ10オレフィン、
・Ｃ2〜Ｃ20オレフィン、
・ハロゲン置換Ｃ2〜Ｃ20オレフィン、
・１つまたは２つのエポキシド基を有するモノエチレン性不飽和モノマー、
・少なくとも１つのカーボネート基を有するモノエチレン性不飽和モノマー、
・Ｃ8〜Ｃ24アルケノールまたはＣ8〜Ｃ24アルカンジエノールを有するモノエチレン性不飽和Ｃ3〜Ｃ8モノカルボン酸のエステル、およびＣ8〜Ｃ24アルケノールまたはＣ8〜Ｃ24アルカンジエノールを有するモノエチレン性不飽和ジカルボン酸のエステル
から選択される請求項１３に記載のポリマー。
【請求項１５】
２つ、３つ、または４つの非共役エチレン性不飽和二重結合を有する少なくとも１つのコモノマーｃを重合導入してさらに含む、請求項１３または１４に記載のポリマー。
【請求項１６】
請求項１０から１５までのいずれか１項に記載のポリマーの、二成分結合剤組成物中の成分としての使用。
【請求項１７】
前記結合剤組成物が、脂肪族ヒドロキシル基、脂肪族第一級アミノ基および脂肪族第二級アミノ基、脂肪族ホスフィン基、脂肪族ホスホネート基ならびに脂肪族メルカプタン基から選択される少なくとも２つの官能基Ｆを有する少なくとも１つの化合物を含む、請求項１６に記載の使用。
【請求項１８】
一般式Ｉ’の官能基の、官能基Ｆに対するモル比が、１：１０〜１０：１の範囲にある、請求項１７に記載の使用。
【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
(i)アミノ酸残基Gln64のCysとの置換およびアミノ酸残基Met306の別の天然に存在するアミノ酸残基との置換を含む配列番号1のFVIIa変異体と、(ii)アミノ酸残基Gly109のCysとの置換を含む配列番号3の可溶性組織因子(sTF)変異体とのジスルフィド結合された複合体。
【請求項２】
前記Met306が、天然に存在する極性アミノ酸残基で置換されている、請求項1に記載のジスルフィド結合された複合体。
【請求項３】
前記Met306がAspで置換されている、請求項2に記載のジスルフィド結合された複合体。
【請求項４】
前記Met306が、天然に存在する非極性アミノ酸残基で置換されている、請求項1に記載のジスルフィド結合された複合体。
【請求項５】
前記Met306がAlaで置換されている、請求項4に記載のジスルフィド結合された複合体。
【請求項６】
前記Met306が、天然に存在する中性アミノ酸残基で置換されている、請求項1に記載のジスルフィド結合された複合体。
【請求項７】
前記Met306がAsn、SerまたはThrで置換されている、請求項6に記載のジスルフィド結合された複合体。
【請求項８】
前記Met306が、中性pHで酸性である天然に存在するアミノ酸残基で置換されている、請求項1に記載のジスルフィド結合された複合体。
【請求項９】
前記Met306が、中性pHで塩基性である天然に存在するアミノ酸残基で置換されている、請求項1に記載のジスルフィド結合された複合体。
【請求項１０】
アミノ酸残基Asp309の別の天然に存在するアミノ酸残基との置換をさらに含む、請求項1から9のいずれか一項に記載のジスルフィド結合された複合体。
【請求項１１】
前記Asp309が、AlaまたはSerで置換されている、請求項10に記載のジスルフィド結合された複合体。
【請求項１２】
請求項1から11のいずれか一項に記載のジスルフィド結合された複合体を発現する細胞。
【請求項１３】
(i)哺乳動物細胞において、アミノ酸残基Gln64のCysとの置換およびアミノ酸残基Met306の別の天然に存在するアミノ酸との置換を含む配列番号1の第VIIa因子変異体を製造する工程と、
(ii)原核細胞または真核細胞において、アミノ酸残基Gly109のCysとの置換を含む配列番号3の可溶性組織因子変異体を製造する工程と、
(iii)Cysを、官能性の1つがシステイン反応性であるヘテロ二官能性試薬を用いて標識する工程と、
(iv)ヘテロ二官能性試薬の第2の官能性によって可溶性組織因子変異体を、第VIIa因子変異体と架橋する工程と
を含む、請求項1から11のいずれか一項に記載の複合体を製造する方法。
【請求項１４】
医薬として使用するための、請求項1から11のいずれか一項に記載のジスルフィド結合された複合体。
【請求項１５】
凝固障害の治療において使用するための、請求項1から11のいずれか一項に記載のジスルフィド結合された複合体。
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
患者の血液凝固疾患または外傷の治療に用いられる血液凝固因子の薬剤組成物であって、
ポリエチレングリコール（ＰＥＧ）分子に共役した第ＶＩＩ因子、第ＶＩＩａ因子、第ＶＩＩＩ因子、第ＩＸ因子、第Ｘ因子、第Ｘａ因子、第ＸＩ因子、第ＸＩＩＩ因子、第Ｖ因子、ヴォン・ヴィレブランド因子およびプロテインＣからなる群から選択される血液凝固因子を含み、
正常な止血が維持される間隔で患者に皮下投与され、
前記ＰＥＧ分子は、セリンもしくはトレオニン残基を介して、糖残基上のヒドロキシル残基を介して、単一のシステイン残基を介して、またはアミド、Ｎ−末端アミノ基、もしくはカルボキシル基を介して、直接的または間接的に前記血液凝固因子に共役される、薬剤組成物。
【請求項２】
前記血液凝固因子が第ＶＩＩＩ因子である、請求項１に記載の薬剤組成物。
【請求項３】
前記血液凝固因子が第ＩＸ因子である、請求項１に記載の薬剤組成物。
【請求項４】
前記血液凝固因子が第ＶＩＩａ因子である、請求項１に記載の薬剤組成物。
【請求項５】
賦形剤をさらに含む、請求項１〜４のいずれか１項に記載の薬剤組成物。
【請求項６】
前記賦形剤は、リポソーム、生理食塩水、緩衝生理食塩水、デキストロース、水、グリセロール、エタノール、およびこれらの組み合わせからなる群から選択される、請求項５に記載の薬剤組成物。
【請求項７】
前記血液凝固因子の投与量が１〜１０００ＩＵ／ｋｇである、請求項１〜６のいずれか１項に記載の薬剤組成物。
【請求項８】
前記血液凝固因子の投与量が５〜５００ＩＵ／ｋｇである、請求項１〜６のいずれか１項に記載の薬剤組成物。
【請求項９】
前記血液凝固因子の投与量が１００〜２５０ＩＵ／ｋｇである、請求項１〜６のいずれか１項に記載の薬剤組成物。
【請求項１０】
前記血液凝固因子の投与量が５０〜２００ＩＵ／ｋｇである、請求項１〜６のいずれか１項に記載の薬剤組成物。
【請求項１１】
前記血液凝固因子の投与量が２５〜５０ＩＵ／ｋｇである、請求項１〜６のいずれか１項に記載の薬剤組成物。
【請求項１２】
前記血液凝固因子の投与量が５〜５０ＩＵ／ｋｇである、請求項１〜６のいずれか１項に記載の薬剤組成物。
【請求項１３】
少なくとも１日１回投与される、請求項１〜１２のいずれか１項に記載の薬剤組成物。
【請求項１４】
１日２回投与され、患者が第１投与および第２投与を受ける、請求項１３に記載の薬剤組成物。
【請求項１５】
前記第２投与が、前記第１投与と別々に、同時に、または連続して投与される、請求項１４に記載の薬剤組成物。
【請求項１６】
ポリエチレングリコール（ＰＥＧ）分子に共役した第ＶＩＩ因子、第ＶＩＩａ因子、第ＶＩＩＩ因子、第ＩＸ因子、第Ｘ因子、第Ｘａ因子、第ＸＩ因子、第ＸＩＩＩ因子、第Ｖ因子、ヴォン・ヴィレブランド因子およびプロテインＣからなる群から選択される血液凝固因子を含み、皮下に投与される薬剤組成物であって、
前記血液凝固因子の投与量が１〜１０００ＩＵ／ｋｇであり、
前記ＰＥＧ分子は、セリンもしくはトレオニン残基を介して、糖残基上のヒドロキシル残基を介して、単一のシステイン残基を介して、またはアミド、Ｎ−末端アミノ基、もしくはカルボキシル基を介して、直接的または間接的に前記血液凝固因子に共役される、薬剤組成物。
【請求項１７】
第ＶＩＩ因子、第ＶＩＩａ因子、第ＶＩＩＩ因子、第ＩＸ因子、第Ｘ因子、第Ｘａ因子、第ＸＩ因子、第ＸＩＩＩ因子、第Ｖ因子、ヴォン・ヴィレブランド因子およびプロテインＣからなる群から選択される治療薬のＰＥＧ化形態を含み、皮下に投与される薬剤組成物であって、
前記ＰＥＧは、直接的または間接的に前記治療薬に共役され、
血中の前記治療薬の濃度が治療量に達しないレベルに低下する前に患者に繰り返し皮下投与されて患者に持続的な治療効果を与え、
前記ＰＥＧ分子は、セリンもしくはトレオニン残基を介して、糖残基上のヒドロキシル残基を介して、単一のシステイン残基を介して、またはアミド、Ｎ−末端アミノ基、もしくはカルボキシル基を介して、直接的または間接的に前記血液凝固因子に共役される、薬剤組成物。
【請求項１８】
請求項１〜１７のいずれか１項に記載の薬剤組成物および投与用ビヒクルを含む、キット。
【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
（ａ）化合物Ａ、（Ｒ）−４−（６，７−ジヒドロ−５Ｈ−ピロロ［１，２−ｃ］イミダゾール−５−イル）−３−フルオロ−ベンゾニトリルおよび（ｂ）ソマトスタチンアナログの組合せであって、（ａ）および（ｂ）が、各々の場合で、遊離形、錯体の形態または薬学的に許容される塩の形態で存在する、組合せ。
【請求項２】
前記ソマトスタチンアナログがオクトレオチド、パシレオチドまたはランレオチドである、請求項１に記載の組合せ。
【請求項３】
前記ソマトスタチンアナログがパシレオチドである、請求項２に記載の組合せ。
【請求項４】
同時、個別または順次使用するための、請求項１から３のいずれか一項に記載の組合せ。
【請求項５】
固定的組合せである、前記請求項のいずれか一項に記載の組合せ。
【請求項６】
薬学的に許容される担体をさらに含む、請求項５に記載の組合せ。
【請求項７】
非固定的組合せである、請求項１から４のいずれか一項に記載の組合せ。
【請求項８】
クッシング症候群、好ましくはクッシング病の処置に使用するための、前記請求項のいずれか一項に記載の組合せ。
【請求項９】
クッシング症候群、好ましくはクッシング病の処置用の、ソマトスタチンアナログと組み合わせて使用される、遊離形、錯体の形態または薬学的に許容される塩の形態での、化合物Ａ、（Ｒ）−４−（６，７−ジヒドロ−５Ｈ−ピロロ［１，２−ｃ］イミダゾール−５−イル）−３−フルオロ−ベンゾニトリルを含む医薬。
【請求項１０】
クッシング症候群、好ましくはクッシング病の処置用の、（１）化合物Ａ、（Ｒ）−４−（６，７−ジヒドロ−５Ｈ−ピロロ［１，２−ｃ］イミダゾール−５−イル）−３−フルオロ−ベンゾニトリルおよび（２）ソマトスタチンアナログを含む医薬であって、（１）化合物Ａおよび（２）ソマトスタチンアナログが患者に同時、個別または順次投与される、医薬。
【請求項１１】
前記ソマトスタチンアナログがオクトレオチド、パシレオチドまたはランレオチドである、請求項１０に記載の医薬。
【請求項１２】
クッシング症候群、好ましくはクッシング病の処置用の医薬を製造するための、請求項１〜８のいずれか一項に記載の組合せの使用。
【請求項１３】
ソマトスタチンアナログと組み合わせて使用される、遊離形、錯体の形態または薬学的に許容される塩の形態での、化合物Ａ、（Ｒ）−４−（６，７−ジヒドロ−５Ｈ−ピロロ［１，２−ｃ］イミダゾール−５−イル）−３−フルオロ−ベンゾニトリルを含む医薬。
【請求項１４】
クッシング症候群、好ましくはクッシング病の処置にそれを同時、個別または順次使用するための説明書と共に、前記請求項のいずれか一項に記載の組合せを含む、市販パッケージ。
【手続補正２】
【補正対象書類名】明細書
【補正対象項目名】００７３
【補正方法】変更
【補正の内容】
【００７３】
応答者はさらに、ＵＦＣのコントロールされた患者と、ＵＦＣの部分的にコントロールされた患者とに分類される。
本発明は以下の態様を含み得る。
［１］
（ａ）化合物Ａ、（Ｒ）−４−（６，７−ジヒドロ−５Ｈ−ピロロ［１，２−ｃ］イミダゾール−５−イル）−３−フルオロ−ベンゾニトリルおよび（ｂ）ソマトスタチンアナログの組合せであって、（ａ）および（ｂ）が、各々の場合で、遊離形、錯体の形態または薬学的に許容される塩の形態で存在する、組合せ。
［２］
前記ソマトスタチンアナログがオクトレオチド、パシレオチドまたはランレオチドである、請求項１に記載の組合せ。
［３］
前記ソマトスタチンアナログがパシレオチドである、請求項２に記載の組合せ。
［４］
同時、個別または順次使用するための、請求項１から３のいずれか一項に記載の組合せ。
［５］
固定的組合せである、前記請求項のいずれか一項に記載の組合せ。
［６］
薬学的に許容される担体をさらに含む、請求項５に記載の組合せ。
［７］
非固定的組合せである、請求項１から４のいずれか一項に記載の組合せ。
［８］
クッシング症候群、好ましくはクッシング病の処置に使用するための、前記請求項のいずれか一項に記載の組合せ。
［９］
クッシング症候群、好ましくはクッシング病の処置のために、ソマトスタチンアナログと組み合わせて使用するための、化合物Ａ、（Ｒ）−４−（６，７−ジヒドロ−５Ｈ−ピロロ［１，２−ｃ］イミダゾール−５−イル）−３−フルオロ−ベンゾニトリル。
［１０］
クッシング症候群、好ましくはクッシング病を処置する方法であって、（１）化合物Ａ、（Ｒ）−４−（６，７−ジヒドロ−５Ｈ−ピロロ［１，２−ｃ］イミダゾール−５−イル）−３−フルオロ−ベンゾニトリルおよび（２）ソマトスタチンアナログを患者に同時、個別または順次投与することを含む方法。
［１１］
前記ソマトスタチンアナログがオクトレオチド、パシレオチドまたはランレオチドである、請求項１０に記載の方法。
［１２］
クッシング症候群、好ましくはクッシング病の処置用の医薬を製造するための、前記請求項のいずれか一項に記載の組合せの使用。
［１３］
ソマトスタチンアナログと組み合わせて使用されるための医薬を調製するための、遊離形、錯体の形態または薬学的に許容される塩の形態での、化合物Ａ、（Ｒ）−４−（６，７−ジヒドロ−５Ｈ−ピロロ［１，２−ｃ］イミダゾール−５−イル）−３−フルオロ−ベンゾニトリルの使用。
［１４］
クッシング症候群、好ましくはクッシング病の処置にそれを同時、個別または順次使用するための説明書と共に、前記請求項のいずれか一項に記載の組合せを含む、市販パッケージ。
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
動物における潤滑性および構造的完全性の喪失およびまたはコラーゲン構造の腫れに伴う疼痛および可動性の低下の治療において、前記コラーゲン構造の周囲の皮膚に局所的に塗布することによって使用されるリン脂質と界面活性剤を含む小胞製剤。
【請求項２】
前記コラーゲン構造は、関節内の軟骨であることを特徴とする請求項１に記載の使用のためのリン脂質と界面活性剤を含む小胞製剤。
【請求項３】
前記コラーゲン構造は腱または靭帯であることを特徴とする請求項１に記載の使用のためのリン脂質と界面活性剤を含む小胞製剤。
【請求項４】
前記潤滑性およびまたは構造的完全性の喪失およびまたは腫れは、関節内の軟骨の表面上のリン脂質の分解によることを特徴とする請求項２に記載の使用のためのリン脂質と界面活性剤を含む小胞製剤。
【請求項５】
前記潤滑性およびまたは構造的完全性の喪失およびまたは腫れは、関節の滑液内のリン脂質の欠乏によることを特徴とする請求項２に従って使用されるためのリン脂質と界面活性剤を含む小胞製剤。
【請求項６】
前記潤滑性およびまたは構造的完全性の喪失およびまたは腫れは、腱または靭帯とそれらが動く下部表面間のリン脂質の欠乏によることを特徴とする請求項３に従って使用されるためのリン脂質と界面活性剤を含む小胞製剤。
【請求項７】
前記疼痛または可動性の低下は粘性補給によって治療されることを特徴とする請求項１〜６のいずれかに従って使用されるためのリン脂質と界面活性剤を含む小胞製剤。
【請求項８】
関節痛または可動性の低下の治療において、請求項２に従って使用されるためのリン脂質と界面活性剤を含む小胞製剤。
【請求項９】
関節痛または可動性の低下は、滑液のリン脂質の低減に関係することを特徴とする請求項２に従って使用されるためのリン脂質と界面活性剤を含む小胞製剤。
【請求項１０】
関節痛は変形性関節症に関係していることを特徴とする請求項２に従って使用されるためのリン脂質と界面活性剤を含む小胞製剤。
【請求項１１】
腱炎の治療用であることを特徴とする、請求項３に従って使用されるためのリン脂質と界面活性剤を含む小胞製剤。
【請求項１２】
手根管症候群の治療用であることを特徴とする、請求項３に従って使用されるためのリン脂質と界面活性剤を含む小胞製剤。
【請求項１３】
前記動物は、人間、伴侶動物あるいは農業動物であることを特徴とする請求項１〜１２のいずれかに従って使用されるためのリン脂質と界面活性剤を含む小胞製剤。
【請求項１４】
動物は約４５〜約８５歳の人間であることを特徴とする請求項１〜１３のいずれかに従って使用されるためのリン脂質と界面活性剤を含む小胞製剤。
【請求項１５】
前記製剤は薬学的に活性な薬剤を含まないことを特徴とする請求項１〜１４のいずれかに従って使用されるためのリン脂質と界面活性剤を含む小胞製剤。
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
遊離形態または塩形態の、式Ｉ：
【化１】
2015512951.tif 000001
［式中、Ｘは、Ｎ（Ｈ）、Ｎ（Ｃ１−４アルキル）またはＯであり、
Ｒ１は、ＨまたはＣ１−６アルキルであり、
Ｒ２は、ＨまたはＯＲ３であって、ここでは、Ｒ３は、ＨまたはＣ１−６アルキルである。
ただし、Ｒ１およびＲ２は両方が同時にＨではなく、Ｒ１およびＲ３は両方が同時にＨではない。］
で示される、化合物。
【請求項２】
Ｒ２がＯＲ３である、請求項１記載の化合物。
【請求項３】
Ｒ１がＣ１−６アルキルである、請求項１または２記載の化合物。
【請求項４】
Ｒ１がメチルである、請求項１記載の化合物。
【請求項５】
Ｒ２がＯＲ３であり、Ｒ３がＣ１−６アルキルである、請求項１ないし４のいずれか一項記載の化合物。
【請求項６】
Ｒ２がＯＲ３であり、Ｒ３がメチルである、請求項５記載の化合物。
【請求項７】
ＸがＮ（Ｃ１−４アルキル）である、請求項１ないし６のいずれか一項記載の化合物。
【請求項８】
ＸがＯである、請求項１ないし６のいずれか一項記載の化合物。
【請求項９】
ＸがＮ（Ｈ）である、請求項１ないし６のいずれか一項記載の化合物。
【請求項１０】
ＸがＮ（ＣＨ３）である、請求項７記載の化合物。
【請求項１１】
式
【化２】
2015512951.tif 000002
で示される、請求項１記載の化合物。
【請求項１２】
式
【化３】
2015512951.tif 000003
で示される、請求項１記載の化合物。
【請求項１３】
該化合物が塩形態である、請求項１ないし１２のいずれか一項記載の化合物。
【請求項１４】
該塩が、トルエンスルホン酸、フマル酸およびリン酸付加塩からなる群から選択される、請求項１３記載の化合物。
【請求項１５】
請求項１ないし１４のいずれか一項記載の化合物を、薬学的に許容される希釈剤または担体と組み合わせて、または混合して含む、医薬組成物。
【請求項１６】
中枢神経系障害の処置または予防のための、請求項１５記載の医薬組成物。
【請求項１７】
該障害が、肥満、不安、鬱病、精神病、統合失調症、睡眠障害、性的障害、偏頭痛、頭部痛と関係する病状、社交不安障害、動揺、認知症における動揺、自閉症における動揺および関連する自閉性障害、胃腸管の運動機能障害のような消化器系障害、外傷後ストレス障害、衝動調節障害、間欠性爆発性障害からなる群から選択される、請求項１６記載の医薬組成物。
【請求項１８】
該障害が認知症と関連する１種以上の障害である、請求項１６記載の医薬組成物。
【請求項１９】
障害が軽度認知障害および老人性認知症、アルツハイマー病、ピック病、前頭側頭型認知症、進行性核上性麻痺（parasupranuclear palsy）、レビー小体型認知症、血管性認知症、ハンチントン病、パーキンソン病、多発性硬化症、筋萎縮性側索硬化症、ダウン症候群、老人性鬱病、ウェルニッケ・コルサコフ症候群、大脳皮質基底核変性症およびプリオン病を含む認知症疾患と関連する障害である、請求項１８に記載の医薬組成物。
【請求項２０】
該障害がセロトニン５−ＨＴ２Ａ、ドーパミンＤ２および／またはセロトニン再取り込みトランスポーター（ＳＥＲＴ）経路が関係する障害である、請求項１６または１７記載の医薬組成物。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
シアリルラクトースおよびフコシルオリゴ糖から実質的になるプレバイオティクス組成物であって、前記シアリルラクトースが、３’−シアリルラクトース（３’−ＳＬ）、６’−シアリルラクトース（６’−ＳＬ）、またはこれらの混合物であり、ならびに前記フコシルオリゴ糖が、α１，２−フコシル、α１，３−フコシル、および／またはα１，４−フコシル残基を含む、プレバイオティクス組成物。
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
式（ＩＩ）に記載の化合物または薬学的に許容できるその塩
【化３】
2015512931.tif 000001
［式中、
ＸがＣＨであり、
Ｌが結合であり、
Ｒ１が−Ｃ（Ｏ）ＯＲＡであり、
ＲＡがＨであり、
Ｒ２がＨまたはＦであり、
Ｒ３がＣｌ、Ｆ、またはＣＮであり、
Ｒ４およびＲ５がＨであり、
Ｒ６およびＲ７が独立に、Ｈ、Ｆ、またはメトキシであり、
Ｒ９およびＲ１０がＨであり、
Ｒ８が（Ｃ３〜Ｃ８）シクロアルキルであり、前記（Ｃ３〜Ｃ８）シクロアルキルは、ヒドロキシで置換されているシクロブチルである。］
【請求項２】
６−クロロ−５−（４−（１−ヒドロキシシクロブチル）フェニル）−１Ｈ−インドール−３−カルボン酸；
６−フルオロ−５−（４−（１−ヒドロキシシクロブチル）フェニル）−１Ｈ−インドール−３−カルボン酸；
４，６−ジフルオロ−５−（４−（１−ヒドロキシシクロブチル）フェニル）−１Ｈ−インドール−３−カルボン酸；
６−クロロ−５−［２−フルオロ−４−（１−ヒドロキシシクロブチル）フェニル］−１Ｈ−インドール−３−カルボン酸；
６−クロロ−５−［３−フルオロ−４−（１−ヒドロキシシクロブチル）フェニル］−１Ｈ−インドール−３−カルボン酸；
６−クロロ−５−［４−（１−ヒドロキシシクロブチル）−３−メトキシフェニル］−１Ｈ−インドール−３−カルボン酸；または
６−クロロ−５−［４−（ｔｒａｎｓ−３−ヒドロキシシクロブチル）フェニル］−１Ｈ−インドール−３−カルボン酸；
である、請求項１に記載の化合物または薬学的に許容できるその塩。
【請求項３】
請求項１に記載の化合物
2015512931.tif 000002
または薬学的に許容できるその塩。
【請求項４】
請求項１〜３のいずれか一項に記載の化合物または薬学的に許容できるその塩をふくむ医薬組成物。
【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
(i)式
【化１】
2015512937.tif 000001
の5-コレステン-3β,25-ジオール二硫酸塩(25HCDS)又は(ii)製薬上許容されるその塩である化合物を含む医薬組成物。
【請求項２】
前記化合物が
【化２】
2015512937.tif 000002
である、請求項1に記載の医薬組成物。
【請求項３】
脂質の低減が必要な対象におけるその低減方法、コレステロール及び脂質の生合成の低減が必要な対象におけるその低減方法、炎症の低減が必要な対象におけるその低減方法、糖尿病の治療が必要な対象におけるその治療方法、高脂血症の治療が必要な対象におけるその治療方法、アテローム性動脈硬化症の治療が必要な対象におけるその治療方法、脂肪性肝疾患の治療が必要な対象におけるその治療方法、又は炎症性疾患の治療が必要な対象におけるその治療方法において使用するための、請求項1又は2に記載の医薬組成物。
【請求項４】
前記方法において、
-  前記化合物が前記対象の体重に基づき0.1mg/kgから100mg/kgの範囲の量で投与されるか、若しくは前記化合物が前記対象の体重に基づき1mg/kgから10mg/kgの範囲の量で投与され、及び/又は
-  投与が経口投与、腸内投与、舌下投与、経皮投与、静脈内投与、腹膜投与、非経口投与、注射、皮下注射及び筋肉注射による投与のうち少なくとも1つを含む、
請求項3に記載の医薬組成物。
【請求項５】
脂質代謝障害または炎症性疾患を治療するための、請求項1または2に記載の医薬組成物。
【請求項６】
脂質代謝障害が、高脂血症、アテローム性動脈硬化症、糖尿病、または脂肪性肝疾患である、請求項5に記載の医薬組成物。
【請求項７】
請求項1又は2に記載の化合物。
【請求項８】
単離された化合物である、請求項7に記載の化合物。
【請求項９】
実質的に純粋である、請求項7又は8に記載に化合物。
【請求項１０】
固形である請求項7から9のいずれかに記載の化合物。
【請求項１１】
-  粉末形態、及び/又は
-  凍結乾燥形態
である、請求項10に記載の化合物。
【請求項１２】
(i)請求項1又は2に記載の化合物、及び(ii)生理学的に許容される賦形剤、希釈剤又は担体を含む医薬組成物。
【請求項１３】
前記組成物が単位投与形態で製剤化されている、請求項12に記載の医薬組成物。
【請求項１４】
-  前記組成物が固形であるか、又は
-  前記組成物が固形であり、かつ散剤、錠剤、カプセル剤又はトローチ剤の形態であるか、又は
-  前記組成物が固形であり、かつ増量剤と一緒に凍結乾燥形態で化合物を含み、前記組成物が、場合により密封されたバイアル、アンプル、注射器若しくは袋中に存在する、
請求項12又は13に記載の医薬組成物。
【請求項１５】
液体である担体を含み、かつ場合により
-  化合物が前記液体中に溶解若しくは分散されている、及び/又は
-  前記液体が水性である、及び/又は
-  前記液体が注射用滅菌水若しくはリン酸緩衝生理食塩水である、及び/又は
-  前記組成物がバイアル、アンプル、注射器若しくは袋に密封されている
請求項12又は13に記載の医薬組成物。
【請求項１６】
25-ヒドロキシコレステールを三酸化硫黄の供給源と反応させるステップと、場合により、得られた5-コレステン-3β,25-ジオール二硫酸塩(25HCDS)から製薬上許容される塩を形成するステップとを含む、請求項1又は2に記載の化合物の製造方法。
【請求項１７】
三酸化硫黄の供給源が三酸化硫黄アミン錯体である、請求項16に記載の方法。
【請求項１８】
前記化合物と前記の生理学的に許容される賦形剤、希釈剤又は担体とを組み合わせるステップを含む、請求項12から15のいずれかに記載の医薬組成物の製造方法。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
少なくとも１種のジエンエラストマーと、３０ｐｈｒ超の液体可塑剤と、５０ｐｈｒと１５０ｐｈｒとの間の補強充填剤と、２ｐｈｒと４０ｐｈｒとの間の硫酸カリウム微小粒子とをベースとする、タイヤ用トレッドとして使用するのに特に便利なゴム組成物であって、規格ＩＳＯ１３３２０−１に従いレーザー粒度測定法で測定した前記微小粒子の体積サイズ分布が、以下の関係を満たすことを特徴とする、組成物。
−  ５０μｍ＜Ｄ50＜１５０μｍ、
−  ０．５０＜スパン＜１．５０、
（式中：
−  Ｄ50は、５０％の粒子の累積分布に相当する中央粒径であり；
−  スパン＝（Ｄ90−Ｄ10）／Ｄ50；
−  Ｄ10およびＤ90は、それぞれ１０％および９０％の粒子の累積分布に相当する粒径を表す）
【請求項２】
７５μｍ＜Ｄ50＜１２５μｍである、請求項１に記載の組成物。
【請求項３】
０．７５＜スパン＜１．２５である、請求項１または２に記載の組成物。
【請求項４】
Ｄ10＞３０μｍである、請求項１から３のいずれか１項に記載の組成物。
【請求項５】
Ｄ90＜１８０μｍである、請求項１から４のいずれか１項に記載の組成物。
【請求項６】
微小粒子の含有量が２ｐｈｒと３０ｐｈｒとの間である、請求項１から５のいずれか１項に記載の組成物。
【請求項７】
ジエンエラストマーが、天然ゴム、合成ポリイソプレン、ポリブタジエン、ブタジエンコポリマー、イソプレンコポリマーおよびこれらのエラストマーの混合物からなる群から選ばれる、請求項１から６のいずれか１項に記載の組成物。
【請求項８】
５０ｐｈｒ超の天然ゴム、５０ｐｈｒ超の合成ポリイソプレン、又は９０％超のｃｉｓ−１，４結合含有量を有する、５０ｐｈｒ超のポリブタジエンを含む、請求項７に記載の組成物。
【請求項９】
補強充填剤全体の含有量が６０ｐｈｒと１２０ｐｈｒとの間である、請求項１から８のいずれか１項に記載の組成物。
【請求項１０】
液体可塑剤が、ポリオレフィンオイル、ナフテン系オイル、パラフィン系オイル、ＤＡＥオイル、ＭＥＳオイル、ＴＤＡＥオイル、ＲＡＥオイル、ＴＲＡＥオイル、ＳＲＡＥオイル、鉱油、植物油、エーテル可塑剤、エステル可塑剤、ホスフェート可塑剤、スルホネート可塑剤およびこれらの化合物の混合物からなる群から選ばれる、請求項１から９のいずれか１項に記載の組成物。
【請求項１１】
液体可塑剤の含有量が、５０〜１００ｐｈｒの範囲内に含まれる、請求項１０に記載の組成物。
【請求項１２】
２０℃を超えるＴｇを示す炭化水素樹脂を含み、前記炭化水素樹脂が、シクロペンタジエンホモポリマーまたはコポリマー樹脂、ジシクロペンタジエンホモポリマーまたはコポリマー樹脂、テルペンホモポリマーまたはコポリマー樹脂、Ｃ５画分ホモポリマーまたはコポリマー樹脂、Ｃ９画分ホモポリマーまたはコポリマー樹脂、α−メチルスチレンホモポリマーまたはコポリマー樹脂およびこれらの樹脂の混合物からなる群から選ばれる、請求項１から１１のいずれか１項に記載の組成物。
【請求項１３】
炭化水素樹脂の含有量が、３ｐｈｒと６０ｐｈｒとの間である、請求項１２に記載の組成物。
【請求項１４】
請求項１から１３のいずれか１項に記載の組成物を含む、タイヤ用トレッド。
【請求項１５】
請求項１４に記載のトレッドを含むタイヤ。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
モーターオイルをディーゼル燃料またはジェット燃料に変換する方法であって、
アルコールと塩基とを混合することであって、変換混合物を形成することと、
前記変換混合物を前記モーターオイルに添加することであって、反応混合物を形成することと、
前記反応混合物を２００°Ｆ〜４００°Ｆの温度に少なくとも１時間加熱することと、
前記反応混合物を７０°Ｆ未満の温度まで冷却することと、
高硝酸塩基化合物を前記反応混合物に添加することと、
アミノ酸を前記反応混合物に添加することと、
前記反応混合物をオゾン処理することと、
前記反応混合物を、硫酸と、ディーゼル燃料またはジェット燃料と、アスファルト油と、に分離することと、
を含み、
前記塩基が、前記モーターオイルの炭化水素鎖中の結合を弱め及び／又は切断するのに適し、且つ、前記モーターオイルの酸性成分を相殺するものである、方法。
【請求項２】
前記モーターオイルが、使用済みモーターオイル、及び新しいモーターオイルからなる群の少なくとも１つである、請求項１に記載の方法。
【請求項３】
前記塩基が前記アルコールに完全に溶解するまで、前記変換混合物を形成する前記アルコールと前記塩基との前記混合を実施し、
前記変換混合物を形成する前記アルコールと前記塩基との前記混合が、
前記変換混合物の該混合中に、該変換混合物を加熱することと、
前記変換混合物を前記モーターオイルに添加して前記反応混合物を形成する前に、該変換混合物を実質的に室温まで冷却することと、を更に含む、請求項１に記載の方法。
【請求項４】
前記変換混合物が、６５ｗｔ％〜９０ｗｔ％のアルコールと、１０ｗｔ％〜３５ｗｔ％の塩基とを含み、
前記変換混合物を前記モーターオイルに添加して前記反応混合物を形成する前に、該変換混合物を濾過することを更に含む、請求項１に記載の方法。
【請求項５】
前記アルコールが、前記塩基を完全に溶解することができ、該塩基用のキャリアとしての役割を果たすのに適するアルコール、メタノール、エタノール、ｔ−ブタノール、イソプロパノール、ブタノール、及びベンゼンと混合させたアルコールからなる群の少なくとも１つであり、
前記塩基が、ソーダ灰、炭酸ナトリウム、水酸化ナトリウム、重曹及び水酸化カリウムからなる群の少なくとも１つであり、
前記高硝酸塩基化合物が、炭化水素の再構築における使用に適する高い反応性を有する硝酸塩基化合物、硝酸エチルアンモニウム、硝酸アンモニウム、硝酸カリウム、硝酸ナトリウム、硝酸とメタノールとの組合せ、及びテトラニトラトキシカーボン（tetranitratoxycarbon）からなる群の少なくとも１つであり、
前記アミノ酸が、タウリン、及びメチオニンからなる群の少なくとも１つである、
請求項１に記載の方法。
【請求項６】
前記変換混合物を前記モーターオイルに添加して前記反応混合物を形成する前に、前記モーターオイルを濾過することを更に含み、
前記モーターオイルの該濾過が、３ミクロン以上の微粒子を除去する、請求項１に記載の方法。
【請求項７】
２００°Ｆ〜４００°Ｆの温度への前記反応混合物の前記加熱を、１時間〜３時間実施する、請求項１に記載の方法。
【請求項８】
前記高硝酸塩基化合物を前記反応混合物に添加する前に、前記高硝酸塩基化合物をアルコールに添加することであって、アルコール／高硝酸塩基化合物の対を形成することを更に含む、請求項１に記載の方法。
【請求項９】
前記アルコール／高硝酸塩基化合物の対を、７０ｗｔ％〜８５ｗｔ％の高硝酸塩基化合物と、１５ｗｔ％〜３０ｗｔ％のアルコールとし、
前記アルコール／高硝酸塩基化合物の対が、エタノール及び硝酸アンモニウム、エタノール及び硝酸カリウム、並びにエタノール及び硝酸ナトリウムからなる群の少なくとも１つである、請求項８に記載の方法。
【請求項１０】
前記高硝酸塩基化合物を前記反応混合物に添加した後に、前記反応混合物を一定時間放置し、前記高硝酸塩基化合物と前記反応混合物との反応を完了させること、および、
前記高硝酸塩基化合物と前記反応混合物との該反応を完了させた後であり、且つ、前記反応混合物に前記アミノ酸を添加することの前に、前記反応混合物を７０°Ｆ未満まで冷却することを更に含む、請求項１に記載の方法。
【請求項１１】
ディーゼル燃料が製造されるように、アミノ酸を前記反応混合物に添加するプロセスが、９９．９５ｗｔ％〜９９．９９ｗｔ％の前記反応混合物と、０．０１ｗｔ％〜０．０５ｗｔ％の前記アミノ酸とを含む、請求項１に記載の方法。
【請求項１２】
ジェット燃料が製造されるように、アミノ酸を前記反応混合物に添加するプロセスが、９９．９９０ｗｔ％〜９９．９９９ｗｔ％の前記反応混合物と、０．００１ｗｔ％〜０．０１ｗｔ％の前記アミノ酸とを含む、請求項１に記載の方法。
【請求項１３】
前記反応混合物を、前記硫酸と、前記ディーゼル燃料またはジェット燃料と、前記アスファルト油と、に分離する前、且つ、前記反応混合物のオゾン処理の後に、前記反応混合物を一定期間静置することを更に含み、
該反応混合物を一定期間静置するプロセスが、少なくとも２４時間続き、
前記反応混合物の前記オゾン処理が、１ｇｍ／時間〜５ｇｍ／時間の割合で、６時間〜３０時間の範囲の時間、前記反応混合物中にオゾンガスをバブリングさせ、
前記反応混合物を、前記硫酸と、前記ディーゼル燃料またはジェット燃料と、前記アスファルト油と、に分離する前、且つ、前記反応混合物のオゾン処理の後に、前記反応混合物を３０°Ｆに冷却する、請求項１に記載の方法。
【請求項１４】
前記方法の各プロセスを、該方法に挙げたように順次実施する、請求項１に記載の方法。
【請求項１５】
モーターオイルをディーゼル燃料またはジェット燃料に変換するシステムであって、該システムが、
アルコールと塩基とを混合して、変換混合物を形成する手段と、
前記変換混合物を前記モーターオイルに添加して、反応混合物を形成する手段と、
前記反応混合物を２００°Ｆ〜４００°Ｆの温度に１時間〜３時間加熱する手段と、
前記反応混合物を７０°Ｆ未満の温度まで冷却する手段と、
高硝酸塩基化合物を前記反応混合物に添加する手段と、
アミノ酸を前記反応混合物に添加する手段と、
前記反応混合物をオゾン処理する手段と、
前記反応混合物を、硫酸と、ディーゼル燃料またはジェット燃料と、アスファルト油と、に分離する手段と、
を含み、
前記塩基が、前記モーターオイルの炭化水素鎖中の結合を弱め及び／又は切断するのに適し、且つ、前記モーターオイルの酸性成分を相殺するものである、システム。